(57)【要約】【課題】おむつ本体に取り付けられて使用される吸収性物品において、装着感が良好で、おむつ本体への体液の不要な漏れを防止することが可能な吸収性物品を提供する。【解決手段】おむつ本体２に取り付けられて使用される吸収性物品であって、ギャザーシート１０４には、当該吸収性物品１の外側に折り返されて形成された折り返し部１０５ａが設けられ、ギャザーシート１０４の長手方向両端部には、折り返し部１０５ａと、当該ギャザーシート１０４のうちの当該折り返し部１０５ａに対向する折り返し対向部１０５ｂと、が固着された固着部（第１固着部１０６ａ）が形成され、当該吸収性物品１がおむつ本体２に取り付けられた際に当該おむつ本体２に設けられた立体ギャザー（本体側立体ギャザー２４ｂ）が、折り返し部１０５ａと折り返し対向部１０５ｂとの間に配置される。【選択図】図３
2014147424.tif 000002
【特許請求の範囲】
【請求項１】
透液性のトップシートと、バックシートと、前記トップシートと前記バックシートとの間に介装される吸収体と、前記トップシート側における前記吸収体の幅方向両側縁部に設けられた一対のギャザーシートと、を備え、おむつ本体に取り付けられて使用される吸収性物品において、
前記ギャザーシートには、当該吸収性物品の外側に折り返されて形成された折り返し部が設けられ、
前記ギャザーシートの長手方向両端部には、前記折り返し部と、当該ギャザーシートのうちの当該折り返し部に対向する折り返し対向部と、が固着された固着部が形成され、
当該吸収性物品が前記おむつ本体に取り付けられた際に当該おむつ本体に設けられた立体ギャザーが、前記折り返し部と前記折り返し対向部との間に配置されることを特徴とする吸収性物品。
【請求項２】
前記折り返し部には、当該吸収性物品の内側に折り返されて形成された第２折り返し部が設けられていることを特徴とする請求項１に記載の吸収性物品。
【請求項３】
前記折り返し部のうちの前記折り返し対向部側の面には、前記立体ギャザーに着脱自在に止着される止着部材が設けられていることを特徴とする請求項１又は２に記載の吸収性物品。
【請求項４】
前記折り返し部と前記折り返し対向部との間には、前記おむつ本体に設けられた前記立体ギャザーのうちの基端から自由端までの長さの１／３以上の部分が配置されることを特徴とする請求項１から３の何れか一項に記載の吸収性物品。
【請求項５】
前記ギャザーシートには、ギャザーを形成する糸ゴムが設けられ、
前記糸ゴムは、前記折り返し部の折り返し起点と、前記折り返し部の先端と、に設けられていることを特徴とする請求項１から４の何れか一項に記載の吸収性物品。
【発明の詳細な説明】
【技術分野】
【０００１】
本発明は、吸収性物品に関する。
【背景技術】
【０００２】
従来、吸収性物品として、おむつ本体に取り付けられて使用される吸収パッド（インナーパッド）が知られている。吸収パッドは、体液の吸収に対しておむつ本体を補助するためのものであるとともに、おむつ本体自体の取り替え頻度を少なくすることによって使用コストを抑えるためのものである。
このような吸収パッドには、ギャザーシートからなる立体ギャザーが設けられている場合が多く（例えば、特許文献１及び２参照）、吸収パッドの立体ギャザーとおむつ本体の立体ギャザーとの両方が脚周りに沿って配置されることにより、脚周りからの体液の漏れを防止することができる。
【先行技術文献】
【特許文献】
【０００３】
【特許文献１】特許第５０５２９９３号公報
【特許文献２】特許第４４２５０３８号公報
【発明の概要】
【発明が解決しようとする課題】
【０００４】
しかしながら、吸収パッドとおむつ本体との両方に立体ギャザーが設けられている場合、着用者の脚の動き等に伴って脚周りと立体ギャザーとの間に隙間が生じたり吸収パッドの吸収体がヨレたりすると、脚周りに対する、吸収パッドの立体ギャザーの接触の仕方と、おむつ本体の立体ギャザーの接触の仕方と、が異なってしまって、吸収パッドの立体ギャザーと、おむつ本体の立体ギャザーと、の間に隙間ができることがある。吸収パッドの立体ギャザーと、おむつ本体の立体ギャザーと、の間に隙間ができると、吸収パッドに余力があるにもかかわらず、その隙間からおむつ本体へと体液が漏れてしまって、おむつ本体も一緒に取り替えなくてはならなくなることがある。また、脚周りへのフィット性が低下したり、吸収パッドがおむつ本体からずれたりして、装着感が悪化してしまうことがある。
【０００５】
本発明の課題は、おむつ本体に取り付けられて使用される吸収性物品において、装着感が良好で、おむつ本体への体液の不要な漏れを防止することが可能な吸収性物品を提供することである。
【課題を解決するための手段】
【０００６】
前記課題を解決するために、請求項１に記載の発明は、
透液性のトップシートと、バックシートと、前記トップシートと前記バックシートとの間に介装される吸収体と、前記トップシート側における前記吸収体の幅方向両側縁部に設けられた一対のギャザーシートと、を備え、おむつ本体に取り付けられて使用される吸収性物品において、
前記ギャザーシートには、当該吸収性物品の外側に折り返されて形成された折り返し部が設けられ、
前記ギャザーシートの長手方向両端部には、前記折り返し部と、当該ギャザーシートのうちの当該折り返し部に対向する折り返し対向部と、が固着された固着部が形成され、
当該吸収性物品が前記おむつ本体に取り付けられた際に当該おむつ本体に設けられた立体ギャザーが、前記折り返し部と前記折り返し対向部との間に配置されることを特徴とする。
【０００７】
請求項２に記載の発明は、
請求項１に記載の吸収性物品において、
前記折り返し部には、当該吸収性物品の内側に折り返されて形成された第２折り返し部が設けられていることを特徴とする。
【０００８】
請求項３に記載の発明は、
請求項１又は２に記載の吸収性物品において、
前記折り返し部のうちの前記折り返し対向部側の面には、前記立体ギャザーに着脱自在に止着される止着部材が設けられていることを特徴とする。
【０００９】
請求項４に記載の発明は、
請求項１から３の何れか一項に記載の吸収性物品において、
前記折り返し部と前記折り返し対向部との間には、前記おむつ本体に設けられた前記立体ギャザーのうちの基端から自由端までの長さの１／３以上の部分が配置されることを特徴とする。
【００１０】
請求項５に記載の発明は、
請求項１から４の何れか一項に記載の吸収性物品において、
前記ギャザーシートには、ギャザーを形成する糸ゴムが設けられ、
前記糸ゴムは、前記折り返し部の折り返し起点と、前記折り返し部の先端と、に設けられていることを特徴とする。
【発明の効果】
【００１１】
本発明によれば、着用者の脚の動き等に伴って吸収性物品の立体ギャザー（ギャザーシート）と、おむつ本体の立体ギャザーと、が連動して動くため、吸収性物品の立体ギャザーと、おむつ本体の立体ギャザーと、の間に隙間ができにくい。また、折り返し部と折り返し対向部とでおむつ本体の立体ギャザーを挟み込むことができ、その挟み込んだ状態を維持することができるため、おむつ本体の立体ギャザーが、吸収性物品の立体ギャザーから外れにくい。よって、吸収性物品に余力があるにもかかわらずおむつ本体へと体液が漏れてしまうことも、脚周りへのフィット性が低下したり吸収性物品がおむつ本体からずれたりすることもないので、装着感が良好で、かつ、おむつ本体への体液等の不要な漏れを防止することが可能となる。
【図面の簡単な説明】
【００１２】
【図１】吸収性物品の斜視図である。
【図２】おむつ本体の斜視図である。
【図３】吸収性物品をおむつ本体に取り付けた状態を示す要部断面図である。
【図４】図１のＩＶ−ＩＶ線における断面図である。
【図５】図１のＶ−Ｖ線における断面図である。
【図６】図１のＶＩ−ＶＩ線における断面図である。
【図７】吸収性物品の変形例１を示す図である。
【図８】吸収性物品の変形例２を示す図である。
【発明を実施するための形態】
【００１３】
以下、図を参照して、本発明の実施の形態を詳細に説明する。ただし、発明の範囲は、図示例に限定されない。
【００１４】
なお、以下の説明では、本実施形態における吸収性物品１を展開した状態において、装着時に人体（着用者）の腹側に位置する側を前側、背側に位置する側を後側、着用者と接触する側を上側、着用者と接触する側とは反対側を下側とし、前後方向と上下方向との双方に直交する方向を左右方向（幅方向）とする。
また、前後方向をＸ方向、左右方向をＹ方向、上下方向をＺ方向とする。
【００１５】
図１は、吸収性物品１の斜視図であり、図２は、おむつ本体２の斜視図であり、図３は、吸収性物品１をおむつ本体２に取り付けた状態を示す要部断面図である。また、図４は、図１のＩＶ−ＩＶ線における断面図であり、図５は、図１のＶ−Ｖ線における断面図であり、図６は、図１のＶＩ−ＶＩ線における断面図である。
吸収性物品１は、尿取りパッド等のインナーパッドであり、おむつ本体２に着脱・交換自在に取り付けられて使用される。
【００１６】
＜おむつ本体＞
図２及び図３に示すように、おむつ本体２は、いわゆるパンツ型の紙おむつであり、着用者の身体との接触面側に設けられる本体側トップシート２１と、着用者の身体との接触面とは反対側の外部側に設けられる本体側バックシート２２と、本体側トップシート２１と本体側バックシート２２との間に介装される本体側吸収体２３と、本体側吸収体２３の幅方向両側縁部（左側縁部及び右側縁部）に設けられた本体側ギャザーシート２４，２４と、を備えて構成される。
【００１７】
本体側トップシート２１は、透液性のシートからなり、本体側吸収体２３の表面側（装着時における身体側）を覆う形状に形成されている。
本体側バックシート２２は、例えば不透液性のシートからなる外面シート２２ａと、外面シート２２ａに貼設される例えば不透液性のシートからなる内面シート２２ｂと、により構成され、本体側吸収体２３の裏面側（装着時における外部側）を覆う形状に形成されている。
【００１８】
本体側バックシート２２の一方の端部には、着用者の腹周りを被覆する腹周り構成部２５が形成され、他方の端部には、着用者の背周りを被覆する背周り構成部２６が形成され、腹周り構成部２５と背周り構成部２６との間には、着用者の股間部を被覆する本体側股下部２７が形成されている。
そして、おむつ本体２は、腹周り構成部２５の幅方向側の各端部（左端部、右端部）と、背周り構成部２６の幅方向側の各端部（左端部、右端部）と、がそれぞれ固着されて脇部を形成することで、パンツ型の形状に成形されている。
【００１９】
腹周り構成部２５及び背周り構成部２６は、略等しい幅を有する略矩形状に形成されている。
また、腹周り構成部２５及び背周り構成部２６における外面シート２２ａと内面シート２２ｂとの間には、弾性部材としての複数本の糸ゴム２５ａ，…、２６ａ，…が挟み込まれて固着されている。これにより、着用者の胴周り及び腰周りで、おむつ本体２が伸縮自在に変形することで、着用者の身体に密着するようになっている。
【００２０】
本体側バックシート２２の幅方向両側縁部の各々には、腹周り構成部２５の幅方向側の各端部から本体側股下部２７を通り背周り構成部２６の幅方向側の各端部に亘って、着用者の脚周りを囲む一対の脚周り部２８，２８が形成されている。
脚周り部２８には、着用者の脚周りに対応させて形成された脚周り用開口部の縁部に沿って、着用者の脚周りに接触する一対の脚周りギャザー２８ａ，２８ａが形成されている。
【００２１】
脚周りギャザー２８ａにおける外面シート２２ａと内面シート２２ｂとの間には、着用者の股間部やそけい部等に対する本体側バックシート２２の密着性を向上させるための複数本の糸ゴム２８ｂ，…が配設されている。
【００２２】
本体側吸収体２３は、尿などの水様成分を含む体液等を吸収するものである。具体的には、本体側吸収体２３は、綿やパルプなどの吸収性素材や、繊維あるいはフィルム等のシート状基材と高吸水性樹脂とが組み合わされて形成された吸収体コア２３ａと、吸収体コア２３ａを覆う透液性のクレープ紙２３ｂと、を備えて構成される。
【００２３】
吸収体コア２３ａは、例えば、腹周り構成部２５から本体側股下部２７を通って背周り構成部２６に亘って配設されている。
クレープ紙２３ｂは、吸収体コア２３ａを全体的に包装しており、透液性を有して体液を吸収する働きをなす。
【００２４】
本体側吸収体２３の本体側バックシート２２側には、防水フィルム２９が配設されている。
防水フィルム２９は、遮水性を有し、クレープ紙２３ｂを通過した水様成分が本体側バックシート２２側に漏れることを防止する働きをなす。
【００２５】
本体側ギャザーシート２４は、本体側トップシート２１側における本体側吸収体２３の幅方向両側縁部に、吸収体コア２３ａの腹側端部から背側端部に亘って設けられている。すなわち、本体側ギャザーシート２４は、おむつ本体２の股下両端部に相当する位置に備えられている。
また、本体側ギャザーシート２４は、例えば不透液性のシートからなり、二つ折りにして折り合わされた面を、例えば、ホットメルトや、ヒートシール、超音波シール等によって固着することにより形成されている。また、本体側ギャザーシート２４は、その基端部が本体側トップシート２１と外面シート２２ａとの間に挟まれるように固着されることによって固定されている。そして、本体側ギャザーシート２４の折り合わされた面の間には、複数本の糸ゴム２４ａ，…が挟み込まれている。これにより、本体側ギャザーシート２４の自由端部が起立した状態となって、本体側立体ギャザー２４ｂが形成される。また、本体側ギャザーシート２４は、糸ゴム２４ａによって着用者の体型に合わせて伸縮自在に変形することで、着用者の身体に密着するようになっている。
【００２６】
＜吸収性物品＞
吸収性物品１は、着用者の股間を腹側から背側にかけて覆うように形成されている。
図１に示すように、吸収性物品１の長手方向（Ｘ方向）の一方の端部（前端部）が、着用者の腹側に位置する腹側部１１を形成し、他方の端部（後端部）が、着用者の背側に位置する背側部１２を形成し、腹側部１１と背側部１２との間が、着用者の股間に位置する股間部１３を形成する。
【００２７】
図３及び図４に示すように、吸収性物品１は、着用者の身体との接触面側に設けられる透液性のトップシート１０１と、着用者の身体との接触面とは反対側の外部側に設けられるバックシート１０２と、トップシート１０１とバックシート１０２との間に介装される吸収体１０３と、トップシート１０１側における吸収体１０３の幅方向両側縁部（左側縁部及び右側縁部）に、当該吸収性物品１の長手方向に沿って設けられた一対のギャザーシート１０４，１０４と、を備えて構成される。
【００２８】
吸収体１０３は、その長手方向の長さが、吸収性物品１の長手方向の長さとほぼ等しくなるように、腹側部１１から股間部１３を通り背側部１２に亘る位置に配置され、吸収性物品１の使用時に体液等を吸収する役割を果たす。
吸収体１０３は、綿やパルプなどの吸収性素材や、繊維あるいはフィルム等のシート状基材に、高吸水性樹脂を混入したものが使用される。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。
【００２９】
なお、吸収体１０３は、形状保持等のために、例えば、クレープ紙や透液性の不織布や孔開きシートなどの透液性のシート材によって囲繞することが望ましい。
また、吸収体１０３は、多層構造であっても良いし、単層構造であっても良い。
【００３０】
トップシート１０１は、吸収性物品１を装着した際に着用者に接する面を形成し、吸収体１０３の上側に設けられ、尿などの水様成分を含む体液等を受けて、吸収体１０３まで輸送する役割を果たす、透液性のシートである。
透液性のシートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００３１】
バックシート１０２は、吸収性物品１を装着した際に着用者に接する面とは反対側の面を形成し、吸収体１０３の下側に設けられ、体液等が吸収性物品１の外部へと染み出したり漏れ出したりすることを防ぐ役割を果たす、不透液性のシートである。
不透液性のシートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００３２】
なお、バックシート１０２は、必ずしも不透液性のシートでなくても良い。
また、バックシート１０２のトップシート１０１側の面とは反対側の面（下面）は、不織布で覆われていても良い。これにより、バックシート１０２の傷付きを防止することができる。また、クロスライクさが得られるため、見た目にムレ難さを与えることができるとともに、着用者の肌への負担を軽減させることができる。バックシート１０２の下面を覆う不織布としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、あるいはこれらの組み合わせからなるシートが挙げられるが、これらに限られるものではない。
【００３３】
トップシート１０１及びバックシート１０２は、吸収体１０３よりも幅広に形成されており、吸収体１０３よりも幅方向（Ｙ方向）外側の部分が所定の接着剤によって互いに接着されている。
トップシート１０１及びバックシート１０２のうちの吸収体１０３よりも幅方向外側の部分は、所定位置を起点として吸収性物品１の内側（幅方向内側）に折り返されている。そして、バックシート１０２の折り返された部分（折り返し部１０２ａ）には、吸収性物品１の立体ギャザーを構成するギャザーシート１０４が貼り付けられている。
【００３４】
ギャザーシート１０４，１０４は、例えば不透液性のシートからなり、トップシート１０１側における吸収体１０３の幅方向（Ｙ方向）両側縁部に、吸収体１０３の長手方向（Ｘ方向）に沿うように腹側部１１から背側部１２に亘ってそれぞれ備えられている。
具体的には、ギャザーシート１０４は、バックシート１０２の折り返し部１０２ａのうちのトップシート１０１側とは反対側の面に貼り付けられている。ギャザーシート１０４は、バックシート１０２の折り返し部１０２ａの先端（折り返し部１０２ａの自由端部の先端）よりも延出しており、折り返し部１０２ａよりも延出している部分（延出部分）に、吸収性物品１の外側（幅方向外側）に折り返されて形成された折り返し部１０５ａが設けられている。
【００３５】
ギャザーシート１０４の折り返し部１０５ａは、吸収性物品１をおむつ本体２に取り付けた状態（図３参照）において、吸収性物品１の立体ギャザー（ギャザーシート１０４）でおむつ本体２の本体側立体ギャザー２４ｂを覆うために形成されている。
すなわち、吸収性物品１をおむつ本体２に取り付けた際に、当該おむつ本体２に設けられた本体側立体ギャザー２４ｂが、ギャザーシート１０４の折り返し部１０５ａと、ギャザーシート１０４のうちの折り返し部１０５ａに対向する部分（折り返し対向部１０５ｂ）と、の間に配置されるよう構成されている。
これにより、吸収性物品１の立体ギャザーと、おむつ本体２の本体側立体ギャザー２４ｂと、が連動して動くため、吸収性物品１の立体ギャザーと、おむつ本体２の本体側立体ギャザー２４ｂと、の間に隙間ができることを防止することが可能となる。
【００３６】
吸収性物品１の立体ギャザー（ギャザーシート１０４）に折り返し部１０５ａが設けられていない場合、着用者の脚の動き等に伴って脚周りと立体ギャザー（吸収性物品１の立体ギャザーやおむつ本体２の本体側立体ギャザー２４ｂ）との間に隙間が生じたり吸収性物品１の吸収体１０３がヨレたりすると、脚周りに対する、吸収性物品１の立体ギャザーの接触の仕方と、おむつ本体２の本体側立体ギャザー２４ｂの接触の仕方と、が異なってしまって、吸収性物品１の立体ギャザーと、おむつ本体２の本体側立体ギャザー２４ｂと、の間に隙間ができることがある。吸収性物品１の立体ギャザーと、おむつ本体２の本体側立体ギャザー２４ｂと、の間に隙間ができると、吸収性物品１に余力があるにもかかわらず、その隙間からおむつ本体２へと体液等が漏れてしまって、おむつ本体２も一緒に取り替えなくてはならなくなり、おむつ本体２自体の取り替え頻度が不要に多くなってしまうことがある。また、脚周りへのフィット性が低下したり、吸収性物品１がおむつ本体２からずれたりして、装着感が悪化してしまうことがある。
これに対し、本実施形態の場合、吸収性物品１の立体ギャザー（ギャザーシート１０４）に折り返し部１０５ａが設けられており、吸収性物品１をおむつ本体２に取り付けた状態において、吸収性物品１の立体ギャザー（ギャザーシート１０４）でおむつ本体２の本体側立体ギャザー２４ｂを覆うことができる。これにより、着用者の脚の動き等に伴って、吸収性物品１の立体ギャザーと、おむつ本体２の本体側立体ギャザー２４ｂと、が連動して動き、吸収性物品１の立体ギャザーと、おむつ本体２の本体側立体ギャザー２４ｂと、の間に隙間ができにくいため、装着感が良好で、かつ、おむつ本体２への体液等の不要な漏れを防止することが可能となる。
【００３７】
図５に示すように、ギャザーシート１０４の長手方向の両端部（前端部及び後端部）は、折り返し部１０５ａと折り返し対向部１０５ｂとが固着されているとともに、折り返し部１０５ａとギャザーシート１０４の固定端部（バックシート１０２に貼り付けられている部分）とが固着された状態で、トップシート１０１に固着されている。
すなわち、ギャザーシート１０４の前端部及び後端部には、折り返し部１０５ａと折り返し対向部１０５ｂとが固着された第１固着部１０６ａと、折り返し部１０５ａとギャザーシート１０４の固定端部とが固着された第２固着部１０６ｂと、ギャザーシート１０４とトップシート１０１とが固着された第３固着部１０６ｃと、が形成されている。
【００３８】
ギャザーシート１０４の前端部及び後端部に、折り返し部１０５ａと折り返し対向部１０５ｂとが固着された第１固着部１０６ａを形成することにより、図６に示すように、ギャザーシート１０４の前後方向（Ｘ方向）中間部（固着部１０６ａ，１０６ｂ，１０６ｃが形成されていない部分）のうちの前端部及び後端部（固着部１０６ａ，１０６ｂ，１０６ｃが形成されている部分）に近い領域では、折り返し部１０５ａと折り返し対向部１０５ｂとが近接した状態、すなわち折り返し部１０５ａと折り返し対向部１０５ｂとの間の空間が狭い状態が維持される。したがって、当該領域における折り返し部１０５ａと折り返し対向部１０５ｂとでおむつ本体２の本体側立体ギャザー２４ｂを挟み込むことができる。また、本体側立体ギャザー２４ｂを挟み込んだ状態を維持できるため、本体側立体ギャザー２４ｂが外れにくくなり、例えば着用者が脚を勢いよく動かしても、吸収性物品１の立体ギャザーでおむつ本体２の本体側立体ギャザー２４ｂを覆った状態を保ち続けることが可能となる。
【００３９】
ギャザーシート１０４のうちの折り返し部１０２ａよりも延出している部分（延出部分）には、ギャザーを形成する複数本の糸ゴム（弾性伸縮部材）１０４ａ，…がギャザーシート１０４の長手方向に沿って配設されている。ギャザーシート１０４は、糸ゴム１０４ａによって着用者の体型に合わせて伸縮自在に変形することで、着用者の身体にフィットするようになっている。
本実施形態の場合、折り返し部１０５ａと折り返し対向部１０５ｂとの境界点（折り返し起点）と、折り返し部１０５ａの先端と、のそれぞれに１本ずつ糸ゴム１０４ａが配設されているとともに、折り返し対向部１０５ｂに２本の糸ゴム１０４ａが配設されている。
折り返し対向部１０５ｂに配設される糸ゴム１０４ａ（この場合、折り返し部１０５ａと折り返し対向部１０５ｂとの境界点に配設される糸ゴム１０４ａを含む）は、ほぼ等間隔で配置されている。これにより、折り返し対向部１０５ｂをほぼ面状に起立させることが可能となる。
なお、折り返し対向部１０５ｂに配設される糸ゴム１０４ａ（この場合、折り返し部１０５ａと折り返し対向部１０５ｂとの境界点に配設される糸ゴム１０４ａは含まない）の本数は、複数本であれば任意である。
【００４０】
ここで、折り返し部１０５ａの折幅は、適宜任意に変更可能であるが、折り返し部１０５ａと折り返し対向部１０５ｂとの間に、おむつ本体２の本体側立体ギャザー２４ｂのうちの自由端側の部分であって、当該本体側立体ギャザー２４ｂの基端から自由端までの長さの１／３以上の部分が配置される折幅であることが好ましく、おむつ本体２の本体側立体ギャザー２４ｂのうちの自由端側の部分であって、当該本体側立体ギャザー２４ｂの基端から自由端までの長さの１／２以上の部分が配置される折幅であることがより好ましい。これにより、おむつ本体２の立体ギャザー（本体側立体ギャザー２４ｂ）が、吸収性物品１の立体ギャザー（ギャザーシート１０４）からより一層外れにくくなる。
【００４１】
以上説明した本実施形態の吸収性物品１によれば、透液性のトップシート１０１と、バックシート１０２と、トップシート１０１とバックシート１０２との間に介装される吸収体１０３と、トップシート１０１側における吸収体１０３の幅方向両側縁部に設けられた一対のギャザーシート１０４，１０４と、を備え、おむつ本体２に取り付けられて使用される吸収性物品であって、ギャザーシート１０４には、当該吸収性物品１の外側に折り返されて形成された折り返し部１０５ａが設けられ、ギャザーシート１０４の長手方向両端部には、折り返し部１０５ａと、当該ギャザーシート１０４のうちの当該折り返し部１０５ａに対向する折り返し対向部１０５ｂと、が固着された固着部（第１固着部１０６ａ）が形成され、当該吸収性物品１がおむつ本体２に取り付けられた際に当該おむつ本体２に設けられた立体ギャザー（本体側立体ギャザー２４ｂ）が、折り返し部１０５ａと折り返し対向部１０５ｂとの間に配置されるよう構成されている。
【００４２】
すなわち、吸収性物品１をおむつ本体２に取り付けた際に、吸収性物品１の立体ギャザー（ギャザーシート１０４）で、おむつ本体２の立体ギャザー（本体側立体ギャザー２４ｂ）が覆うことができるので、着用者の脚の動き等に伴って吸収性物品１の立体ギャザーと、おむつ本体２の立体ギャザーと、が連動して動くようになる。
また、ギャザーシート１０４の長手方向両端部には、折り返し部１０５ａと折り返し対向部１０５ｂとが固着された固着部（第１固着部１０６ａ）が形成されているので、折り返し部１０５ａと折り返し対向部１０５ｂとでおむつ本体２の本体側立体ギャザー２４ｂを挟み込むことができ、その挟み込んだ状態を維持することができる。
したがって、着用者の脚の動き等に伴って吸収性物品１の立体ギャザーと、おむつ本体２の立体ギャザーと、が連動して動くため、吸収性物品１の立体ギャザーと、おむつ本体２の立体ギャザーと、の間に隙間ができにくい。また、折り返し部１０５ａと折り返し対向部１０５ｂとでおむつ本体２の本体側立体ギャザー２４ｂを挟み込むことができ、その挟み込んだ状態を維持することができるため、おむつ本体２の立体ギャザーが、吸収性物品１の立体ギャザーから外れにくい。よって、吸収性物品１に余力があるにもかかわらずおむつ本体２へと体液が漏れてしまうことも、脚周りへのフィット性が低下したり吸収性物品１がおむつ本体２からずれたりすることもないので、装着感が良好で、かつ、おむつ本体２への体液等の不要な漏れを防止することが可能となる。
【００４３】
また、本実施形態の吸収性物品１によれば、トップシート１０１及びバックシート１０２のうちの吸収体１０３よりも幅方向外側の部分は、所定位置を起点として吸収性物品１の内側（幅方向内側）に折り返されており、バックシート１０２の折り返された部分（折り返し部１０２ａ）には、吸収性物品１の立体ギャザーを構成するギャザーシート１０４が貼り付けられている。
したがって、吸収性物品１は、サイドフラップ部がない構造であるため、折り返し部１０５ａと折り返し対向部１０５ｂとの間におむつ本体２の立体ギャザー（本体側立体ギャザー２４ｂ）を配置しやすくなる。
【００４４】
また、本実施形態の吸収性物品１によれば、折り返し部１０５ａと折り返し対向部１０５ｂとの間には、おむつ本体２に設けられた立体ギャザー（本体側立体ギャザー２４ｂ）のうちの基端から自由端までの長さの１／３以上の部分が配置されることが好ましい。
この場合、おむつ本体２の立体ギャザー（本体側立体ギャザー２４ｂ）が、吸収性物品１の立体ギャザー（ギャザーシート１０４）からより一層外れにくくなる。
【００４５】
また、本実施形態の吸収性物品１によれば、ギャザーシート１０４には、ギャザーを形成する糸ゴム１０４ａが設けられ、糸ゴム１０４ａは、折り返し部１０５ａの折り返し起点と、折り返し部１０５ａの先端と、に設けられている。
すなわち、折り返し部１０５ａの両端のみに糸ゴム１０４ａが配設されているので、折り返し部１０５ａの中間部と折り返し対向部１０５ｂとの間に糸ゴム１０４ａによって伸縮しない空間部が形成され、おむつ本体２の立体ギャザー（本体側立体ギャザー２４ｂ）の先端が折り返し部１０５ａと折り返し対向部１０５ｂとの間に挟みやすくなる。また、折り返し部１０５ａの先端に糸ゴム１０４ａが配設されているので、折り返し部１０５ａの先端に伸縮力がかかり、おむつ本体２の立体ギャザー（本体側立体ギャザー２４ｂ）が、吸収性物品１の立体ギャザー（ギャザーシート１０４）からより一層外れにくくなる。
また、本実施形態の吸収性物品１のように、折り返し部１０５ａに配設されている糸ゴム１０４ａの本数を、折り返し対向部１０５ｂに配設されている糸ゴム１０４ａの本数よりも少なくすることで、折り返し部１０５ａが吸収体１０３側に起立することを抑えることができ、折り返し部１０５ａと折り返し対向部１０５ｂとの間におむつ本体２の立体ギャザー（本体側立体ギャザー２４ｂ）が挟みやすくなる。
【００４６】
なお、折り返し部１０５ａの中間部（折り返し起点と先端との間の部分）にも、糸ゴム１０４ａを配設しても良い。その場合、折り返し部１０５ａの中間部に配設する糸ゴム１０４ａの伸張率を、折り返し部１０５ａの折り返し起点と先端とに配設する糸ゴム１０４ａの伸張率よりも低くすること、または折り返し部１０５ａに配設する糸ゴム１０４ａの伸張率を、折り返し対向部１０５ｂに配設する糸ゴム１０４ａの伸張率よりも低くすることが好ましい。ここで、「伸張率」とは、弾性部材（糸ゴム）を引き伸ばさない状態（自然長）の長さH0と弾性部材を引き伸ばした状態の長さH1との関係（=H1/H0）を示している。例えば、自然長10cmのものを20cmに伸張させた場合、伸張率は200％となる。
【００４７】
＜変形例１＞
図７に示すように、ギャザーシート１０４の折り返し部１０５ａのうちの折り返し対向部１０５ｂ側の面には、おむつ本体２の本体側立体ギャザー２４ｂに着脱自在に止着される止着部材１０７が設けられていても良い。
止着部材１０７は、おむつ本体２の本体側立体ギャザー２４ｂに着脱自在に止着できる部材であれば任意であり、例えば、剥離紙を剥がすと粘着部分が露出する粘着テープであっても良いし、面ファスナであっても良いが、できるだけやわらかい素材のものの方が着用者の身体の動きに追従し易く、好適である。
【００４８】
止着部材１０７を設けることにより、折り返し部１０５ａが、おむつ本体２の本体側立体ギャザー２４ｂの外側（吸収体１０３とは反対側）に配置された状態を維持できるため、おむつ本体２の立体ギャザー（本体側立体ギャザー２４ｂ）が、吸収性物品１の立体ギャザー（ギャザーシート１０４）からより一層外れにくくなる。
止着部材１０７のＸ方向の長さ、吸収性物品１のギャザーシート１０４に対する止着部材１０７の配設個数や配設位置等は、止着部材１０７によって、吸収性物品１のギャザーシート１０４を、おむつ本体２の本体側立体ギャザー２４ｂに止着できるのであれば、適宜任意に設定可能である。
なお、折り返し対向部１０５ｂのうちの折り返し部１０５ａ側の面に止着部材１０７を設けることも可能である。
【００４９】
＜変形例２＞
図８に示すように、ギャザーシート１０４の折り返し部１０５ａには、吸収性物品１の内側（幅方向内側）に折り返されて形成された第２折り返し部１０５ｃが設けられていても良い。
この場合、折り返し部１０５ａの折り返し起点は、折り返し部１０５ａと折り返し対向部１０５ｂとの境界点と、第２折り返し部１０５ｃの折り返し点と、の２点となり、これら折り返し起点のそれぞれに１本ずつ糸ゴム１０４ａが配設されている。また、第２折り返し部１０５ｃは、折り返し部１０５ａの一部であるため、第２折り返し部１０５ｃの先端が、折り返し部１０５ａ先端となり、当該先端に１本の糸ゴム１０４ａが配設されている。
【００５０】
第２折り返し部１０５ｃを設けることにより、第２折り返し部１０５ｃが、おむつ本体２の本体側立体ギャザー２４ｂの外側（吸収体１０３とは反対側）に引っかかり、折り返し部１０５ａが、おむつ本体２の本体側立体ギャザー２４ｂの外側（吸収体１０３とは反対側）に配置された状態を維持できるため、おむつ本体２の立体ギャザー（本体側立体ギャザー２４ｂ）が、吸収性物品１の立体ギャザー（ギャザーシート１０４）からより一層外れにくくなる。
【００５１】
また、今回開示された実施の形態はすべての点で例示であって制限的なものではないと考えられるべきである。また、前述の実施形態及び変形例の各構成を組み合わせて適用しても良い。本発明の範囲は上記した説明ではなくて特許請求の範囲によって示され、特許請求の範囲と均等の意味および範囲内でのすべての変更が含まれることが意図される。
【符号の説明】
【００５２】
１  吸収性物品
２  おむつ本体
２４ｂ  本体側立体ギャザー（立体ギャザー）
１０１  トップシート
１０２  バックシート
１０３  吸収体
１０４  ギャザーシート
１０４ａ  糸ゴム
１０５ａ  折り返し部
１０５ｂ  折り返し対向部
１０５ｃ  第２折り返し部
１０６ａ  第１固着部（固着部）
１０７  止着部材
【図１】
2014147424.tif 000003
【図２】
2014147424.tif 000004
【図３】
2014147424.tif 000005
【図４】
2014147424.tif 000006
【図５】
2014147424.tif 000007
【図６】
2014147424.tif 000008
【図７】
2014147424.tif 000009
【図８】
2014147424.tif 000010